【手続補正書】
【提出日】平成30年9月18日(2018.9.18)
【手続補正１】
【補正対象書類名】特許請求の範囲
【補正対象項目名】全文
【補正方法】変更
【補正の内容】
【特許請求の範囲】
【請求項１】
ａ．使用時にユーザの顔上に配置される本体部分であって、前記本体部分は、左サイドアーム及び右サイドアームと、前記左サイドアームと前記右サイドアームとの間のブリッジ部と、を有する、本体部分と、
ｂ．前記ブリッジ部から延び、動作位置において、ユーザの鼻の１つの鼻孔若しくは複数の鼻孔内に挿入される、又はユーザの鼻の１つの鼻孔若しくは複数の鼻孔内にガスの流れを案内するための少なくとも１つの鼻プロングと、
を含み、
ｃ．前記本体部分は、前記少なくとも１つの鼻プロングに接続された、ユーザの鼻の１つの鼻孔若しくは複数の鼻孔にガスを供給するための少なくとも１つの流体通路を有し、
ｄ．前記通路の断面は前記本体部分の長さに沿って変化し、前記本体部分に沿って変化する可撓性を持つ領域を提供する、
患者インターフェース。
【請求項２】
前記通路の断面の形状は前記本体部分の長さの少なくとも一部分に沿って変化し、呼吸チューブ又は導管と着脱可能に若しくは永久的に接続するための外端部における又は前記外端部の近傍の略円形断面から、長尺状の断面へと変化し、前記長尺状の断面は、実質的に垂直に配置された長軸を有する、請求項１に記載の患者インターフェース。
【請求項３】
前記長尺状の断面は、前記本体部分の曲げ領域又はヒンジ部内に設けられるか、又は前記本体部分の曲げ領域又はヒンジ部を形成し、前記長尺状の断面は、前記長尺状の断面の短軸の方向に、ユーザの顔の方に又はユーザの顔から離れる方に前記本体部分を曲げるためのより高い可撓性を付与する、請求項２に記載の患者インターフェース。
【請求項４】
前記少なくとも１つの鼻プロングは一対の鼻プロングを含み、前記ブリッジ領域が前記曲げ領域に比べてより剛性が高くなるように、前記ブリッジ領域は前記プロングの間に中実セクションを含み、前記ブリッジ領域は、ねじれ安定性を付与し且つ使用時に前記ブリッジ領域がねじれるのを防ぐのに十分な高さ又は垂直寸法を有し、及び／又は、
前記ブリッジ部が前記曲げ領域に比べてより剛性が高くなるように、前記ブリッジ部は前記曲げ領域の壁セクションよりも厚い壁セクションを含み、及び／又は、
前記ブリッジ領域に剛性を付与するために、前記ブリッジ部は更により剛性のある材料を含み、前記ブリッジ部は、当該患者インターフェースの残部を形成する材料とは異なる剛性材料から形成されており、及び／又は、
前記サイドアームは、当該インターフェースの前記サイドアームに又は当該インターフェースの前記サイドアーム内に設けられた１つ以上のサイドアーム要素を含み、前記サイドアーム要素は、前記サイドアーム／部分に剛性を付与するために剛性材料から形成されており、前記サイドアーム要素は、前記サイドアームに印加される又はかけられる力に応答して前記サイドアームが曲がる／ヒンジ動作することを可能にするために１つ以上の切り込み又は切り欠きを更に含む、請求項１〜３のいずれか一項に記載の患者インターフェース。
【請求項５】
前記ブリッジ部は、前記ブリッジ部のユーザの顔側から離れる方に張り出すか湾曲した状態で外側に延出することによって前記左サイドアーム及び前記右サイドアームへと移行し、前記左サイドアーム及び前記右サイドアームは、前記本体部分の前方範囲から後方に、前記ブリッジ部から離れる方に湾曲し、前記ブリッジ部のユーザの顔側及び／又は前記ブリッジ部と前記左サイドアーム及び前記右サイドアームとの間の移行領域の１つ又は複数の湾曲は比較的大きな半径を有するため、ユーザの顔にかかる前記ブリッジ及び／又は前記移行領域からの圧力はユーザの人中又は上唇領域上で分散される、請求項１〜４のいずれか一項に記載の患者インターフェース。
【請求項６】
前記本体部分を上から見ると、前記本体部分は、前記少なくとも１つの鼻プロングと隣接する前記左又は右サイドアームとの間にＵ字形領域を含み、前記Ｕ字形領域の内側は使用時にユーザの顔に面しており、前記本体部分の左部分又は右部分がユーザの顔の方に又はユーザの顔から離れる方に撓むと、各Ｕ字形領域は、前記本体部分が優先的に曲がる曲げ領域を形成する又は前記本体部分が優先的に曲がる曲げ領域内に設けられ、前記曲げ領域は前記Ｕ字形領域の谷において曲がる傾向にある、請求項１〜５のいずれか一項に記載の患者インターフェース。
【請求項７】
前記Ｕ字形領域の内角は約１３０度、又は１２０度、又は１１０度、又は１０５度未満である、請求項６に記載の患者インターフェース。
【請求項８】
当該患者インターフェースは、単一材料から単一成形操作で形成された単一の一体形成構成要素であり、当該患者インターフェースは、約５〜６０のショアＡ硬度を持つ熱可塑性材料又はシリコーン材料から形成されている、請求項１〜７のいずれか一項に記載の患者インターフェース。
【請求項９】
少なくとも１つの鼻プロングの基部における前記通路の断面は非対称な断面であり、前記断面の一方の側は前記断面の他方の側よりも平坦であり、少なくとも１つの鼻プロングに沿って延在する通路は、少なくとも１つの鼻プロングの前記基部における又は前記基部の近傍の前記非対称な断面から、少なくとも１つの鼻プロングの先端における又は前記先端の近傍の円形断面へと形状が変化する、請求項１〜８のいずれか一項に記載の患者インターフェース。
【請求項１０】
前記断面積少なくとも１つの鼻プロングは前記プロングの前記基部から前記先端に向かって減少し、少なくとも１つの鼻プロングの前記より平坦な側は当該患者インターフェースの前方側に向かって配置されている、請求項９に記載のパテントインターフェース。
【請求項１１】
少なくとも１つの鼻プロングは、当該患者インターフェースの前記本体部分の前記ブリッジ部と一体形成された基部を有し、少なくとも１つの鼻プロングの前記基部は、前記プロングの壁と前記ブリッジ部との間に隅肉部を含み、前記隅肉部は少なくとも１つの鼻プロングの外周部の周りに延在し、前記隅肉部の半径は、少なくとも１つの鼻プロングの前記外周部の周りにおいて変化する、請求項１〜１０のいずれか一項に記載の患者インターフェース。
【請求項１２】
使用時にユーザが装着したときに当該インターフェースを所定の位置に保持するための、保持システムの少なくとも１つのパッドを含み、前記パッドは、前記本体部分の前記左サイドアーム及び前記右サイドアームの少なくとも１つに取り付けられており、同じ形状のパッドが前記本体部分の前記左サイドアーム及び前記右サイドアームの両方に適用され得るように、前記パッドは、前記パッドを左側と右側とに分割する中心略垂直軸の周りで実質的に対称であり、任意選択的に、前記パッド又は前記パッドと一体成形されて当該インターフェースに取り付けられるか、当該インターフェースと前記パッドとのオーバーモールドによって当該インターフェースに後に取り付けられるかにかかわらず、前記１つのパッドの各パッドはオーバーモールド材料とのオーバーモールドによって前記左部分又は前記右部分それぞれに取り付けられている、請求項１〜１１のいずれか一項に記載のパテントインターフェース。
【請求項１３】
前記保持システムは２部品式着脱可能取付又は接続機構を含み、前記機構は、
ａ．皮膚パッチ及びユーザインターフェースパッチを含み、
ｂ．前記皮膚パッチは患者側とインターフェース側とを有し、
ｃ．前記皮膚パッチの前記患者側はユーザの皮膚に取り付け可能であり、
ｄ．前記皮膚パッチの前記インターフェース側に２部品式着脱可能取付又は接続システムの第１の部品が提供されており、
ｅ．前記ユーザインターフェースパッチはインターフェース側と患者側とを有し、
ｆ．前記ユーザインターフェースパッチの前記患者側に前記２部品式着脱可能取付又は接続システムの賞賛の第２部品が提供されており、
ｇ．前記ユーザインターフェースパッチの前記インターフェース側は、前記ユーザインターフェース及び／又は前記ユーザインターフェースと対応付けられた構成要素に取り付け可能又は接続可能である、
請求項１２に記載の患者インターフェース。
【請求項１４】
前記パッドが当該インターフェースの前記サイドアーム部上又は前記サイドアーム部内に保持されるように、前記本体部分、又は少なくとも前記左若しくは右サイドアームは前記保持システムと共成形又はオーバーモールド成形されている、請求項１２又は１３に記載の患者インターフェース。
【請求項１５】
前記左サイドアーム及び右サイドアームのそれぞれは、１つ以上の既定の若しくは予め配置された箇所又は局所的補償領域若しくは場所を含み、前記１つ以上の既定の若しくは予め配置された箇所又は局所的補償領域若しくは場所は、前記又は各サイドアームに沿って配置され、補償領域若しくは場所の１つ以上内の又は前記補償領域若しくは場所の１つ以上における当該患者インターフェースの補償に適応し、撓み若しくは曲げ若しくはヒンジ動作若しくは他の変位による力に適応するように構成されている、請求項１〜１４のいずれか一項に記載の患者インターフェース。
【請求項１６】
前記補償領域若しくは場所の１つ以上は、当該インターフェースを通る少なくとも２つの異なる非平行面又は周りの曲げの領域若しくは場所又はヒンジ領域であり、及び／又は、
前記ブリッジ部はブリッジ部要素を含み、前記ブリッジ部、前記ブリッジ部要素又は前記ブリッジ部及び前記ブリッジ部要素の両方は、当該患者インターフェース又はに印加される又は当該患者インターフェースにかけられる力から実質的に切り離される、請求項１５に記載の患者インターフェース。